(57)【要約】【課題】本発明は、複数個の一般電球形のＬＥＤ電球を使用して大きな節電効果と照明量が得られると共に、照明カバーを明暗がないように光らせるＬＥＤ電球用シーリングライトを提供する。また、本発明は、構造簡単で、極めて安価に製作でき、照度に応じて各種の一般電球形のＬＥＤ電球を自由に選択して使用できるＬＥＤ電球用シーリングライトを提供する。【解決手段】円形トレイ状の本体板１０と、わん状乳白色透光性の照明カバー２０と、配線接続用のアダプタ３０と複数個の一般電球形のＬＥＤ電球を螺入した電球螺入用ソケット５０を備え、本体板に、複数個の電球の螺入用ソケット５０を、螺入した一般電球形のＬＥＤ電球４０が点灯したとき、配光を本体板１０の中央部に集光できるように設けて、照明カバー２０を明暗のないように光らせたもの。【選択図】        図１
2013045657.tif 000002
【特許請求の範囲】
【請求項１】
上板と側板とからなる円形トレイ状の本体板と、前記本体板の周縁に着脱可能に前記本体板を被覆できるように形成した乳白色透光性のわん状照明カバーと、前記本体板の中央穴に着脱可能に嵌入できるようにした配線接続用のアダプタとを備えて、前記本体板に、複数個の電球螺入用ソケットを、螺入した一般電球形のＬＥＤ電球が点灯したとき、配光が前記本体板の中央部に向けて集光できるように設けて、前記本体板に被覆された前記照明カバーを明暗のないように光らせることを特徴としたＬＥＤ電球用シーリングライト。
【請求項２】
前記各ソケットが、各電球螺入口を前記本体板の中央部に向けると共に、前記本体板の上板に平行かつ放射状に取りつけられることを特徴とした請求項１記載のＬＥＤ電球用シーリングライト。
【請求項３】
前記各ソケットが、各電球螺入口を前記本体板の中央部に向けると共に、前記本体板の上板に上り勾配かつ放射状に取りつけられることを特徴とした請求項１記載のＬＥＤ電球用シーリングライト。
【発明の詳細な説明】
【技術分野】
【０００１】
本発明は、一般電球形のＬＥＤ電球を使用したシーリングライトに関する。
【背景技術】
【０００２】
従来の天井直付け照明器具としてのシーリングライト（Ceiling Light ）は、主として環状蛍光灯が使用されてきた。最近ではスパイラル状、直管状のＬＥＤ（Light Emitting Diode）製のものが使用されるようになったが、高価につく欠点があった。
これに対し、一般電球形のＬＥＤ電球（以下、単にＬＥＤ電球という。）は、漸次、量産化されてきて価格はかなり低下し、従来型の一般電球形の白熱電球、電球形蛍光灯等が使用されている照明器具に漸次使用されつつあるが、照明器具としての利用用途は殆どが１灯タイプに限定されており、多灯を必要とする密封形のシーリングライトとしての利用は不向きとされていた。その理由としては、ＬＥＤ電球は白熱電球に比べ直下方向には明るいが、ヒートシンクのため口金方向には暗い、従って乳白色透光性の照明カバー内に入れると、暗くなる部分ができて照明カバー全体が明暗がないように光らないからである。
【先行技術文献】
【特許文献】
【０００３】
【特許文献１】特開平０６−２５１６１５号公報
【発明の概要】
【発明が解決しようとする課題】
【０００４】
本発明は、一般電球形のＬＥＤ電球を使用したＬＥＤ電球用シーリングライトを提供するものである。
また、本発明は、大きな節電効果と照明量が得られると共に照明カバーを明暗がないように光らせるＬＥＤ電球用シーリングライトを提供するものである。
さらに、本発明は、構造簡単で極めて安価に製作でき、各種の一般電球形のＬＥＤ電球を自由に選択して使用できるＬＥＤ電球用シーリングライトを提供するものである。
【課題を解決するための手段】
【０００５】
本発明のＬＥＤ電球用シーリングライトは、上記課題を達成するため、図示するように、請求項１の発明は、上板と側板とからなる円形トレイ状の本体板と、前記本体板の周縁に着脱可能に前記本体板を被覆できるように形成した乳白色透光性のわん状照明カバーと、前記本体板の中央穴に着脱可能に嵌入できるようにした配線接続用のアダプタとを備えて、前記本体板に、複数個の電球螺入用ソケットを、螺入した一般電球形のＬＥＤ電球が点灯したとき、配光が前記本体板の中央部に向けて集光できるように設けて、前記本体板に被覆された前記照明カバーを明暗のないように光らせるものである。
また、本発明のＬＥＤ電球用シーリングライトは、上記課題を達成するため、図示するように、請求項２の発明は、請求項１の発明において、前記各ソケットが、各電球螺入口を前記本体板の中央部に向けると共に、前記本体板の上板に平行かつ放射状に取りつけられるものである。
さらに、本発明のＬＥＤ電球用シーリングライトは、上記課題を達成するため、図示するように、請求項３の発明は、請求項１の発明において、前記各ソケットが、各電球螺入口を前記本体板の中央部に向けると共に、前記本体板の上板に上り勾配かつ放射状に取りつけられるものである。
本発明において、配線接続用のアダプタは、天井に取りつけられる丸形又は角形の引掛けシーリングや露出型又は埋込型の引掛けローゼットなどの公知の天井用配線器具の引掛け穴に、引掛けを挿入して着脱可能に固着することにより配線接続してシーリングライト内に給電する公知の装置である。
照明カバーは、一般にセード（Shade）と称せられる乳白色透光性のシーリングライト用の公知の合成樹脂製わん状カバーで、円形トレイ状の本体板の形状、サイズ及び電球のサイズ等に合わせて着脱可能に被覆されるものである。
電球螺入用ソケットは、外見は本体板内面と同色にした陶器製、合成樹脂製等の公知のものである。電球螺入用ソケットは、螺入したＬＥＤ電球が点灯したとき、採光が本体板の中央部に向けてＬＥＤ電球の光を集光できるように、放射状かつ、本体板に平行又は上り勾配に取りつけて、照明カバーで被覆したとき、照明カバーを明暗がないよう光らせるようにしたものである。
照明カバーは、本体板の周縁に公知の着脱装置を取りつけて着脱可能に本体板を被覆できるように形成されている。
【発明の効果】
【０００６】
本発明は、複数個の一般電球形のＬＥＤ電球を本体板の中央に集光できるように配光しているので、乳白色透光性の照明カバーを明暗がないように光らせ、一般電球形のＬＥＤ電球を使用したに拘らずシーリングライトとして従来の環状蛍光管と同様な照明が発揮できる。
また、本発明は、従来の蛍光灯を使用したシーリングライトに比べ、構造簡単かつ軽量で、極めて安価に製作でき、大きな節電効果と照明量が得られる。
【図面の簡単な説明】
【０００７】
【図１】本発明の実施例を示し、照明カバーを取り除いて平面図的にみた概略説明図である。
【図２】図１のＸ−Ｘ切断線から断面図的にみた概略説明図である。
【図３】本発明の実施例の使用状態を示した概略説明図である。
【発明を実施するための形態】
【０００８】
本発明の好ましい形態が実施例１に記載される。
【実施例１】
【０００９】
本発明ＬＥＤ電球用シーリングライトの実施例１が図１、図２及び図３に示されている。
図１では、公知の配線及び公知の照明カバーの着脱装置が省略されている。
図２では、公知の配線が省略されている。
本発明実施例のＬＥＤ電球用シーリングライトは、円形トレイ状の本体板１０と、わん状の乳白色透光性の合成樹脂製照明カバー２０と、配線接続用のアダプタ３０とを備えている。
本体板１０は金属製で、内面白色の上板１１と内側白色の側板１２とからなり、上板１１は、４個の一般電球形のＬＥＤ電球（各電球の消費電力６．９Ｗ、全光束４２０ルーメン）４０をそれぞれ螺入できるようにした白色のソケット４個５０を、Ｌ形白色の支持板５１を介して、上板１１内面に取りつけている。また、上板１１の中央穴１１１には、着脱可能に、天井７０に配線された引掛けシーリング又は引掛けローゼット６０に、金属製引掛け３１を介して、着脱可能に固着されると共に、上板１１の中央穴１１１に着脱可能に嵌入できるようにした白色の配線接続用のアダプタ３０が取りつけられている。
また、４個のソケット５０は、支持板５１を介して、上板１１の中央穴１１１に向けて十字の放射状に配置できるように、本体板１０の上板１１内面に平行に取りつけられ、ソケット５０の電球螺入口（図示しない）に螺入したＬＥＤ電球４０を点灯したとき、ＬＥＤ電球４０の発光部分４２は、本体板１０の中央に向けて配光されて集光できるようにしている。
照明カバー２０は、本体板１０の側板１２内側に着脱可能に嵌合できるように形成されている。
本発明は、上述のように構成されるので、アダプタ３０を引掛け３１を介して天井７０の引掛けシーリング又は引掛けローゼット６０の引掛け穴（図示しない）に引掛けて電気接続したのち、４個のＬＥＤ電球４０を点灯すると、４個のＬＥＤ電球４０は配光が集光（約１６００ルーメン）されて照明カバー２０は、明暗のないように光ることになる。
【産業上の利用可能性】
【００１０】
本発明ＬＥＤ電球用シーリングライトは、製作容易で安価に量産できる。
【符号の説明】
【００１１】
１０            本体板
１１            本体板の上板
１１１          中央穴 
１２            本体板の側板
２０            照明カバー
３０            アダプタ
４０            ＬＥＤ電球
４１            ＬＥＤ電球のヒートシンク
４２            ＬＥＤ電球の発光部分
５０            ＬＥＤ電球螺入用ソケット
６０            天井引掛けシーリング又は引掛けローゼット
７０            天井
【図１】
2013045657.tif 000003
【図２】
2013045657.tif 000004
【図３】
2013045657.tif 000005
【手続補正書】
【提出日】平成24年1月20日(2012.1.20)
【手続補正１】
【補正対象書類名】明細書
【補正対象項目名】全文
【補正方法】変更
【補正の内容】
【発明の詳細な説明】
【技術分野】
【０００１】
本発明は、一般電球形のＬＥＤ電球を使用したシーリングライトに関する。
【背景技術】
【０００２】
従来の天井直付け照明器具としてのシーリングライト（Ceiling Light ）は、主として環状蛍光灯が使用されてきた。最近ではスパイラル状、直管状のＬＥＤ（Light Emitting Diode）製のものが使用されるようになったが、高価につく欠点があった。
これに対し、一般電球形のＬＥＤ電球（以下、単にＬＥＤ電球という。）は、漸次、量産化されてきて価格はかなり低下し、従来型の一般電球形の白熱電球、電球形蛍光灯等が使用されている照明器具に漸次使用されつつあるが、照明器具としての利用用途として、多灯を必要とする密封形のシーリングライトの利用は不向きとされていた。その理由は、ＬＥＤ電球は白熱電球に比べ直下方向には明るいが、ヒートシンクのため口金方向には暗い、従って乳白色透光性の照明カバー内に入れると、暗くなる部分ができて照明カバー全体が明暗がないように光らないからである。
【先行技術文献】
【特許文献】
【０００３】
【特許文献１】特開平０６−２５１６１５号公報
【発明の概要】
【発明が解決しようとする課題】
【０００４】
本発明は、複数個の一般電球形のＬＥＤ電球を使用したＬＥＤ電球用シーリングライトを提供するものである。
また、本発明は、大きな節電効果と照明量が得られると共に照明カバーを明暗がないように光らせるＬＥＤ電球用シーリングライトを提供するものである。
さらに、本発明は、構造簡単で極めて安価に製作でき、各種の一般電球形のＬＥＤ電球を自由に選択して使用できるＬＥＤ電球用シーリングライトを提供するものである。
【課題を解決するための手段】
【０００５】
本発明のＬＥＤ電球用シーリングライトは、上記課題を達成するため、図示するように、請求項１の発明は、内面白色の上板と内側白色の側板とからなる円形トレイ状の本体板と、前記本体板の周縁に着脱可能に前記本体板を被覆できるように形成した乳白色透光性のわん状照明カバーと、前記本体板の中央穴に着脱可能に嵌入できるようにした配線接続用の白色のアダプタとを備えて、前記本体板に、複数個の白色の電球螺入用ソケットを、螺入した一般電球形のＬＥＤ電球が点灯したとき、配光を前記本体板の中央部に向けて集光できるように設けて、前記照明カバーを明暗のないように光らせると共に、照度に応じて、前記ＬＥＤ電球を自由に選択して使用できるようにしたものである。
本発明において、配線接続用のアダプタは、天井に取りつけられる丸形又は角形の引掛けシーリングや露出型又は埋込型の引掛けローゼットなどの公知の天井用配線器具の引掛け穴に、引掛けを挿入して着脱可能に固着することにより配線接続してシーリングライト内に給電する公知の装置である。
照明カバーは、一般にセード（Shade）と称せられる乳白色透光性のシーリングライト用の公知の合成樹脂製わん状カバーで、円形トレイ状の本体板の形状、サイズ及び電球のサイズ等に合わせて着脱可能に被覆されるものである。
電球螺入用ソケットは、本体板内面に設けた陶器製、合成樹脂製等の公知のものである。本願発明では、電球螺入用ソケットは、螺入したＬＥＤ電球が点灯したとき、配光を本体板の中央部に向けて集光できるように取りつけて、照明カバーで被覆したとき、各ＬＥＤ電球のヒートシンクの陰影が映らないようにして、照明カバーを明暗がないよう光らせたものである。
照明カバーは、本体板の周縁に公知の白色の着脱装置を取りつけて着脱可能に本体板を被覆できるように形成されたものである。
【発明の効果】
【０００６】
本発明は、複数個の一般電球形のＬＥＤ電球を本体板の中央に集光できるように配光しているので、照明カバーに各ＬＥＤ電球の陰影を映すことなく、前記照明カバーの表面を明暗がないように光らせ、一般電球形のＬＥＤ電球を使用したに拘らずシーリングライトとして従来の環状蛍光管と同様な照明が発揮できる。
また、本発明は、従来の蛍光灯を使用したシーリングライトに比べ、構造簡単かつ軽量で、極めて安価に製作でき、大きな節電効果と照明量が得られると共に、照度に応じてＬＥＤ電球を自由に取り替えて使用できる利点がある。
【図面の簡単な説明】
【０００７】
【図１】本発明の実施例を示し、照明カバーを取り除いて平面図的にみた概略説明図である。
【図２】図１のＸ−Ｘ切断線から断面図的にみた概略説明図である。
【図３】本発明の実施例の使用状態を示した概略説明図である。
【発明を実施するための形態】
【０００８】
本発明の好ましい形態が実施例１に記載される。
【実施例１】
【０００９】
本発明ＬＥＤ電球用シーリングライトの実施例１が図１、図２及び図３に示されている。
図１では、公知の配線及び公知の照明カバーの着脱装置が省略されている。
図２では、公知の配線が省略されている。
本発明実施例のＬＥＤ電球用シーリングライトは、円形トレイ状の本体板１０と、わん状の乳白色透光性の合成樹脂製照明カバー２０と、配線接続用のアダプタ３０とを備えている。
本体板１０は金属製で、内面白色の上板１１と内側白色の側板１２とからなり、上板１１は、４個の一般電球形のＬＥＤ電球（各電球の消費電力６．９Ｗ、全光束４２０ルーメン）４０をそれぞれ螺入できるようにした白色のソケット４個５０を、Ｌ形白色の支持板５１を介して、上板１１内面に取りつけている。また、上板１１の中央穴１１１には、着脱可能に、天井７０に配線された引掛けシーリング又は引掛けローゼット６０に、金属製引掛け３１を介して、着脱可能に固着されると共に、上板１１の中央穴１１１に着脱可能に嵌着できるようにした白色の配線接続用のアダプタ３０が取りつけられている。
また、４個のソケット５０は、支持板５１を介して、上板１１の中央穴１１１に向けて十字の放射状に配置できるように、本体板１０の上板１１内面に平行に取りつけられ、ソケット５０の電球螺入口（図示しない）に螺入したＬＥＤ電球４０を点灯したとき、各ＬＥＤ電球４０の発光部分４２の配光は、図示するように、本体板１０の中央に向けてかなり近接して集光できるように形成されている。
照明カバー２０は、本体板１０の側板１２内側に着脱可能に嵌合できるように形成されている。
本発明は、上述のように構成されるので、アダプタ３０を引掛け３１を介して天井７０の引掛けシーリング又は引掛けローゼット６０の引掛け穴（図示しない）に引掛けて電気接続したのち、４個のＬＥＤ電球４０を点灯すると、４個のＬＥＤ電球４０は配光が集光（約１６００ルーメン）されて照明カバー２０は、各ＬＥＤ電球４０のヒートシンク４１の陰影を映すことなく、照明カバー２０の表面は明暗のないように光ることになる。
【産業上の利用可能性】
【００１０】
本発明ＬＥＤ電球用シーリングライトは、製作容易で安価に量産できる。
【符号の説明】
【００１１】
１０            本体板
１１            本体板の上板
１１１          中央穴 
１２            本体板の側板
２０            照明カバー
３０            アダプタ
４０            ＬＥＤ電球
４１            ＬＥＤ電球のヒートシンク
４２            ＬＥＤ電球の発光部分
５０            ＬＥＤ電球螺入用ソケット
６０            天井引掛けシーリング又は引掛けローゼット
７０            天井
【手続補正２】
【補正対象書類名】特許請求の範囲
【補正対象項目名】全文
【補正方法】変更
【補正の内容】
【特許請求の範囲】
【請求項１】
内面白色の上板と内側白色の側板とからなる円形トレイ状の本体板と、前記本体板の周縁に着脱可能に前記本体板を被覆できるように形成した乳白色透光性のわん状照明カバーと、前記本体板の中央穴に着脱可能に嵌入できるようにした配線接続用の白色のアダプタとを備えて、前記本体板に、複数個の白色の電球螺入用ソケットを、螺入した一般電球形のＬＥＤ電球が点灯したとき、配光を前記本体板の中央部に向けて集光できるように設けて、前記照明カバーを明暗のないように光らせると共に、照度に応じて、前記ＬＥＤ電球を自由に選択して使用できるようにしたことを特徴としたＬＥＤ電球用シーリングライト。
【手続補正書】
【提出日】平成24年5月28日(2012.5.28)
【手続補正１】
【補正対象書類名】明細書
【補正対象項目名】全文
【補正方法】変更
【補正の内容】
【発明の詳細な説明】
【技術分野】
【０００１】
本発明は、一般電球形のＬＥＤ電球を使用したシーリングライトに関する。
【背景技術】
【０００２】
従来の天井直付け照明器具としてのシーリングライト（Ceiling Light ）は、主として環状蛍光灯が使用されてきた。最近ではスパイラル状、直管状のＬＥＤ（Light Emitting Diode）製のものが使用されるようになったが、高価につく欠点があった。
これに対し、一般電球形のＬＥＤ電球（以下、単にＬＥＤ電球という。）は、漸次、量産化されてきて価格はかなり低下し、従来型の一般電球形の白熱電球、電球形蛍光灯等が使用されている照明器具に漸次使用されつつあるが、照明器具としての利用用途として、多灯を必要とする密封形のシーリングライトの利用は不向きとされていた。その理由は、ＬＥＤ電球は白熱電球に比べ直下方向には明るいが、ヒートシンクのため口金方向には暗い、従って乳白色透光性の照明カバー内に入れると、暗くなる部分ができて照明カバー全体が明暗がないように光らないからである。
【先行技術文献】
【特許文献】
【０００３】
【特許文献１】特開平０６−２５１６１５号公報
【発明の概要】
【発明が解決しようとする課題】
【０００４】
本発明は、複数個の一般電球形のＬＥＤ電球を使用したＬＥＤ電球用シーリングライトを提供するものである。
また、本発明は、大きな節電効果と照明量が得られると共に照明カバーを明暗がないように光らせるＬＥＤ電球用シーリングライトを提供するものである。
さらに、本発明は、構造簡単で極めて安価に製作でき、各種の一般電球形のＬＥＤ電球を自由に選択して使用できるＬＥＤ電球用シーリングライトを提供するものである。
【課題を解決するための手段】
【０００５】
本発明のＬＥＤ電球用シーリングライトは、上記課題を達成するため、図示するように、請求項１の発明は、内面白色の上板と内側白色の側板とからなる円形トレイ状の本体板と、前記本体板の周縁に着脱可能に前記本体板を被覆できるように形成した乳白色透光性のわん状照明カバーと、前記本体板の中央穴に着脱可能に嵌入できるようにした配線接続用の白色のアダプタと、前記本体板に一般電球形のＬＥＤ電球をそれぞれ螺入した複数個の白色の電球螺入用ソケットを設けてなり、螺入した前記ＬＥＤ電球が点灯したとき、配光を前記本体板の中央部に向けて集光できるように、前記電球螺入用ソケットを配置して、前記照明カバーを明暗のないように光らせると共に、前記ＬＥＤ電球を自由に選択して使用できるようにしたものである。
また、本発明のＬＥＤ電球用シーリングライトは、上記課題を達成するため、図示するように、請求項２の発明は、請求項１の発明において、前記一般電球形のＬＥＤ電球をそれぞれ螺入した前記電球螺入用ソケット４個が、前記本体板の上板内面に平行に設けられて前記本体板の上板の中央穴に向って、十字の放射状に配置されているものである。
本発明において、配線接続用のアダプタは、天井に取りつけられる丸形又は角形の引掛けシーリングや露出型又は埋込型の引掛けローゼットなどの公知の天井用配線器具の引掛け穴に、引掛けを挿入して着脱可能に固着することにより配線接続してシーリングライト内に給電する公知の装置である。
照明カバーは、一般にセード（Shade）と称せられる乳白色透光性のシーリングライト用の公知の合成樹脂製わん状カバーで、円形トレイ状の本体板の形状、サイズ及び電球のサイズ等に合わせて着脱可能に被覆されるものである。
電球螺入用ソケットは、本体板内面に設けた陶器製、合成樹脂製等の公知のものである。本願発明では、電球螺入用ソケットは、螺入したＬＥＤ電球が点灯したとき、配光を本体板の中央部に向けて集光できるように取りつけて、照明カバーで被覆したとき、照明カバーを明暗がないよう光らせたものである。
照明カバーは、本体板の周縁に公知の白色の着脱装置を取りつけて着脱可能に本体板を被覆できるように形成されたものである。
【発明の効果】
【０００６】
本発明は、複数個の一般電球形のＬＥＤ電球を本体板の中央に集光できるように配光しているので、照明カバーに各ＬＥＤ電球の陰影を映すことなく、前記照明カバーの表面を明暗がないように光らせ、一般電球形のＬＥＤ電球を使用したに拘らずシーリングライトとして従来の環状蛍光管と同様な照明が発揮できる。
また、本発明は、従来の蛍光灯を使用したシーリングライトに比べ、構造簡単かつ軽量で、極めて安価に製作でき、大きな節電効果と照明量が得られると共に、ＬＥＤ電球を自由に取り替えて使用できる利点がある。
【図面の簡単な説明】
【０００７】
【図１】本発明の実施例を示し、照明カバーを取り除いて平面図的にみた概略説明図である。
【図２】図１のＸ−Ｘ切断線から断面図的にみた概略説明図である。
【図３】本発明の実施例の使用状態を示した概略説明図である。
【発明を実施するための形態】
【０００８】
本発明の好ましい形態が実施例１に記載される。
【実施例１】
【０００９】
本発明ＬＥＤ電球用シーリングライトの実施例１が図１、図２及び図３に示されている。
図１では、公知の配線及び公知の照明カバーの着脱装置が省略されている。
図２では、公知の配線が省略されている。
本発明実施例のＬＥＤ電球用シーリングライトは、円形トレイ状の本体板１０と、わん状の乳白色透光性の合成樹脂製照明カバー２０と、配線接続用のアダプタ３０と一般電球形のＬＥＤ電球をそれぞれ螺入した４個の電球螺入用ソケット５０を備えている。
本体板１０は金属製で、内面白色の上板１１と内側白色の側板１２とからなり、上板１１は、４個の一般電球形のＬＥＤ電球（各電球の消費電力６．９Ｗ、全光束４２０ルーメン）４０をそれぞれ螺入した白色のソケット４個５０を、Ｌ形白色の支持板５１を介して、上板１１内面に取りつけている。また、上板１１の中央穴１１１には、着脱可能に、天井７０に配線された引掛けシーリング又は引掛けローゼット６０に、金属製引掛け３１を介して、着脱可能に固着されると共に、上板１１の中央穴１１１に着脱可能に嵌着できるようにした白色の配線接続用のアダプタ３０が取りつけられている。
また、４個のソケット５０は、支持板５１を介して、上板１１の中央穴１１１に向けて十字の放射状に配置できるように、本体板１０の上板１１内面に平行に取りつけられ、ソケット５０の電球螺入口（図示しない）に螺入したＬＥＤ電球４０を点灯したとき、各ＬＥＤ電球４０の発光部分４２の配光は、図示するように、本体板１０の中央に向けてかなり近接して集光できるように形成されている。
照明カバー２０は、本体板１０の側板１２内側に着脱可能に嵌合できるように形成されている。
本発明は、上述のように構成されるので、アダプタ３０を引掛け３１を介して天井７０の引掛けシーリング又は引掛けローゼット６０の引掛け穴（図示しない）に引掛けて電気接続したのち、４個のＬＥＤ電球４０を点灯すると、４個のＬＥＤ電球４０は配光が集光（約１６００ルーメン）されて照明カバー２０は、明暗のないように光ることになる。
【産業上の利用可能性】
【００１０】
本発明ＬＥＤ電球用シーリングライトは、製作容易で安価に量産できる。
【符号の説明】
【００１１】
１０            本体板
１１            本体板の上板
１１１          中央穴 
１２            本体板の側板
２０            照明カバー
３０            アダプタ
４０            ＬＥＤ電球
４１            ＬＥＤ電球のヒートシンク
４２            ＬＥＤ電球の発光部分
５０            ＬＥＤ電球螺入用ソケット
６０            天井引掛けシーリング又は引掛けローゼット
７０            天井
【手続補正２】
【補正対象書類名】特許請求の範囲
【補正対象項目名】全文
【補正方法】変更
【補正の内容】
【特許請求の範囲】
【請求項１】
内面白色の上板と内側白色の側板とからなる円形トレイ状の本体板と、前記本体板の周縁に着脱可能に前記本体板を被覆できるように形成した乳白色透光性のわん状照明カバーと、前記本体板の中央穴に着脱可能に嵌入できるようにした配線接続用の白色のアダプタと、前記本体板に一般電球形のＬＥＤ電球をそれぞれ螺入した複数個の白色の電球螺入用ソケットを設けてなり、螺入した前記ＬＥＤ電球が点灯したとき、配光を前記本体板の中央部に向けて集光できるように、前記電球螺入用ソケットを配置して、前記照明カバーを明暗のないように光らせると共に、前記ＬＥＤ電球を自由に選択して使用できるようにしたことを特徴としたＬＥＤ電球用シーリングライト。
【請求項２】
前記一般電球形のＬＥＤ電球をそれぞれ螺入した前記電球螺入用ソケット４個が、前記本体板の上板内面に平行に設けられて前記本体板の上板の中央穴に向って、十字の放射状に配置されていることを特徴とした請求項１記載のＬＥＤ電球用シーリングライト。
【手続補正書】
【提出日】平成24年10月23日(2012.10.23)
【手続補正１】
【補正対象書類名】明細書
【補正対象項目名】全文
【補正方法】変更
【補正の内容】
【発明の詳細な説明】
【技術分野】
【０００１】
本発明は、一般電球形のＬＥＤ電球を使用したシーリングライトに関する。
【背景技術】
【０００２】
従来の天井直付け照明器具としてのシーリングライト（Ceiling Light ）は、主として環状蛍光灯が使用されてきた。最近ではスパイラル状のＬＥＤ（Light Emitting Diode）製のものが使用されるようになったが、高価につく欠点があった。
これに対し、ヒートシンクを設けた一般電球形のＬＥＤ電球（以下、単に一般電球形のＬＥＤ電球という。）は、漸次、量産化されてきて価格はかなり低下し、従来型の一般電球形の白熱電球、電球形蛍光灯等が使用されている照明器具に漸次使用されつつあるが、照明器具としての利用用途として、多灯を必要とする密封形のシーリングライトの利用は不向きとされていた。その理由は、一般電球形のＬＥＤ電球は白熱電球に比べ直下方向には明るいが、ヒートシンクのため口金方向には暗い、従ってシーリングライトの乳白色透光性の照明カバー内に入れると、暗くなる部分ができて照明カバー全体が明暗がないように光らないからである。
【先行技術文献】
【特許文献】
【０００３】
【特許文献１】特開平０６−２５１６１５号公報
【発明の概要】
【発明が解決しようとする課題】
【０００４】
本発明は、複数個の一般電球形のＬＥＤ電球を使用したＬＥＤ電球用シーリングライトを提供するものである。
また、本発明は、大きな節電効果と照明量が得られると共に照明カバーを明暗がないように光らせるＬＥＤ電球用シーリングライトを提供するものである。
さらに、本発明は、構造簡単で極めて安価に製作でき、各種の一般電球形のＬＥＤ電球を自由に選択して使用できるＬＥＤ電球用シーリングライトを提供するものである。
【課題を解決するための手段】
【０００５】
本発明のＬＥＤ電球用シーリングライトは、上記課題を達成するため、図示するように、請求項１の発明は、ヒートシンクを設けた一般電球形のＬＥＤ電球を複数個使用したＬＥＤシーリングライトであって、内面白色の上板と内側白色の側板とからなる円形トレイ状の本体板と、前記本体板の周縁に着脱可能に前記本体板を被覆できるように形成した乳白色透光性のわん状照明カバーと、前記本体板の中央穴に着脱可能に嵌着できるようにした配線接続用の白色のアダプタと、前記本体板に前記一般電球形のＬＥＤ電球をそれぞれ螺入した複数個の白色の電球螺入用ソケットとを備え、螺入した前記一般電球形のＬＥＤ電球が点灯したとき、前記本体板の中央部に向けて配光できるように、前記電球螺入用ソケットを放射状に配置して、前記照明カバーを明暗のないように光らせると共に、前記一般電球形のＬＥＤ電球を自由に選択して使用できるようにしたものである。
また、本発明のＬＥＤ電球用シーリングライトは、上記課題を達成するため、図示するように、請求項２の発明は、請求項１の発明において、前記一般電球形のＬＥＤ電球をそれぞれ螺入した前記電球螺入用ソケット４個が、前記本体板の上板内面に平行に設けられて前記本体板の上板の中央穴に向って、十字の放射状に配置されているものである。
本発明において、配線接続用のアダプタは、天井に取りつけられる丸形又は角形の引掛けシーリングや露出型又は埋込型の引掛けローゼットなどの公知の天井用配線器具の引掛け穴に、引掛けを挿入して着脱可能に固着することにより配線接続してシーリングライト内に給電する公知の装置である。
照明カバーは、一般にセード（Shade）と称せられる乳白色透光性のシーリングライト用の公知の合成樹脂製わん状カバーで、円形トレイ状の本体板の形状、サイズ及び電球のサイズ等に合わせて着脱可能に被覆されるものである。
電球螺入用ソケットは、外見は本体板内面と同色にした本体板内面に設けた陶器製、合成樹脂製等の公知のものである。本願発明では、電球螺入用ソケットは、螺入したＬＥＤ電球が点灯したとき、本体板の中央部に向けて配光できるように放射状に取りつけて、照明カバーで被覆したとき、照明カバーを明暗がないよう光らせたものである。
照明カバーは、本体板の周縁に公知の白色の着脱装置を取りつけて着脱可能に本体板を被覆できるように形成されたものである。
【発明の効果】
【０００６】
本発明は、複数個の一般電球形のＬＥＤ電球を本体板の中心に向けて配光できるように放射状に配置しているので、照明カバーに各一般電球形のＬＥＤ電球のヒートシンクの陰影を映すことなく、前記照明カバーの表面を明暗がないように光らせ、一般電球形のＬＥＤ電球を使用したに拘らずシーリングライトとして従来の環状蛍光管と同様な照明が発揮できる。
また、本発明は、従来の蛍光灯を使用したシーリングライトに比べ、構造簡単かつ軽量で、極めて安価に製作できる。さらに、本発明は、一般電球形のＬＥＤ電球を自由に選択して節電効果と照明量が得られる利点がある。
【図面の簡単な説明】
【０００７】
【図１】本発明の実施例を示し、照明カバーを取り除いて平面図的にみた概略説明図である。
【図２】図１のＸ−Ｘ切断線から断面図的にみた概略説明図である。
【図３】本発明の実施例の使用状態を示した概略説明図である。
【発明を実施するための形態】
【０００８】
本発明の好ましい形態が実施例１に記載される。
【実施例１】
【０００９】
本発明ＬＥＤ電球用シーリングライトの実施例１が図１、図２及び図３に示されている。
図１では、公知の配線及び公知の照明カバーの着脱装置が省略されている。
図２では、公知の配線が省略されている。
本発明実施例のＬＥＤ電球用シーリングライトは、円形トレイ状の本体板１０と、わん状の乳白色透光性の合成樹脂製照明カバー２０と、配線接続用のアダプタ３０と、一般電球形のＬＥＤ電球をそれぞれ螺入した４個の電球螺入用ソケット５０を備えている。
本体板１０は金属製で、内面白色の上板１１と内側白色の側板１２とからなり、上板１１は、４個の一般電球形のＬＥＤ電球（各電球の消費電力６．９Ｗ、全光束４２０ルーメン）４０をそれぞれ螺入した白色のソケット５０を４個、Ｌ形白色の支持板５１を介して、上板１１内面に取りつけている。また、上板１１の中央穴１１１には、着脱可能に、天井７０に配線された引掛けシーリング又は引掛けローゼット６０に、金属製引掛け３１を介して、着脱可能に固着されると共に、上板１１の中央穴１１１に着脱可能に嵌着できるようにした白色の配線接続用のアダプタ３０が取りつけられている。
また、４個のソケット５０は、支持板５１を介して、上板１１の中央穴１１１に向けて十字の放射状に配置できるように、本体板１０の上板１１内面に平行に取りつけられ、ソケット５０の電球螺入口（図示しない）に螺入した一般電球形のＬＥＤ電球４０を点灯したとき、各一般電球形のＬＥＤ電球４０の発光部分４２は、図示するように、本体板１０の中央に向けて配光できるように形成されている。
照明カバー２０は、本体板１０の側板１２内側に着脱可能に嵌合できるように形成されている。
本発明は、上述のように構成されるので、アダプタ３０を引掛け３１を介して天井７０の引掛けシーリング又は引掛けローゼット６０の引掛け穴（図示しない）に引掛けて電気接続したのち、４個の一般電球形のＬＥＤ電球４０を点灯すると、４個の一般電球形のＬＥＤ電球４０（約１６００ルーメン）は本体板１０の中心に向って配光されて照明カバー２０は、明暗のないように光ることになる。
また、本発明は、一般電球形のＬＥＤ電球を自由に選択して節電効果と照明量が得られる。
【産業上の利用可能性】
【００１０】
本発明ＬＥＤ電球用シーリングライトは、製作容易で安価に量産できる。
【符号の説明】
【００１１】
１０            本体板
１１            本体板の上板
１１１          中央穴 
１２            本体板の側板
２０            照明カバー
３０            アダプタ
４０            一般電球形のＬＥＤ電球
４１            一般電球形のＬＥＤ電球のヒートシンク
４２            一般電球形のＬＥＤ電球の発光部分
５０            電球螺入用ソケット
６０            天井引掛けシーリング又は引掛けローゼット
７０            天井
【手続補正２】
【補正対象書類名】特許請求の範囲
【補正対象項目名】全文
【補正方法】変更
【補正の内容】
【特許請求の範囲】
【請求項１】
ヒートシンクを設けた一般電球形のＬＥＤ電球（以下、単に一般電球形のＬＥＤ電球という。）を複数個使用したＬＥＤシーリングライトであって、内面白色の上板と内側白色の側板とからなる円形トレイ状の本体板と、前記本体板の周縁に着脱可能に前記本体板を被覆できるように形成した乳白色透光性のわん状照明カバーと、前記本体板の中央穴に着脱可能に嵌着できるようにした配線接続用の白色のアダプタと、前記本体板に前記一般電球形のＬＥＤ電球をそれぞれ螺入した複数個の白色の電球螺入用ソケットとを備え、螺入した前記一般電球形のＬＥＤ電球が点灯したとき、前記本体板の中央部に向けて配光できるように、前記電球螺入用ソケットを放射状に配置して、前記照明カバーを明暗のないように光らせると共に、前記一般電球形のＬＥＤ電球を自由に選択して使用できるようにしたことを特徴としたＬＥＤ電球用シーリングライト。
【請求項２】
前記一般電球形のＬＥＤ電球をそれぞれ螺入した前記電球螺入用ソケット４個が、前記本体板の上板内面に平行に設けられて前記本体板の上板の中央穴に向って、十字の放射状に配置されていることを特徴とした請求項１記載のＬＥＤ電球用シーリングライト。
【手続補正３】
【補正対象書類名】要約書
【補正対象項目名】全文
【補正方法】変更
【補正の内容】
【要約】
【要約】
【課題】本発明は、ヒートシンクを設けた複数個の一般電球形のＬＥＤ電球を使用して大きな節電効果と照明量が得られると共に、照明カバーを明暗がないように光らせるＬＥＤ電球用シーリングライトを提供する。また、本発明は、構造簡単で、極めて安価に製作でき、照度に応じて、各種の前記一般電球形のＬＥＤ電球を自由に選択して使用できるＬＥＤ電球用シーリングライトを提供する。
【解決手段】円形トレイ状の本体板１０と、わん状乳白色透光性の照明カバー２０と、配線接続用のアダプタ３０と、複数個の前記一般電球形ＬＥＤ電球４０を螺入した電球螺入用ソケット５０とを備え、本体板１０に、複数個の電球螺入用ソケット５０を、螺入した一般電球形のＬＥＤ電球４０が点灯したとき、本体板１０の中央部に配光できるように放射状に設けて、照明カバー２０を明暗のないように光らせたもの。
【選択図】        図１